(57)【要約】【課題】  コイル体の寸法を大きくすることなく大きな駆動出力を得ることができるリニアモータ及びそのリニアモータを用いたレンズ駆動装置を提供する。【解決手段】  本発明のリニアモータ７は、ヨーク１７と、マグネット１９と、コイル体２３とを備え、コイル体２３を構成するコイルに通電して生じる電磁力によりヨークに対してコイル体２３が相対的に直線駆動するものであって、コイル体２３は複数のコイル線２７ａ、２７ｂを巻回してあり、各コイル線２７ａ、２７ｂはコイル体２３の相対的な駆動方向の一端側から他端側に亘って巻回してあり且つ直流電源３１に並列に接続してある。【選択図】      図２
2007028716.tif 000002
【特許請求の範囲】
【請求項１】
ヨークと、マグネットと、コイル体とを備え、コイル体を構成するコイルに通電して生じる電磁力によりヨークに対してコイル体が相対的に直線駆動するリニアモータであって、コイル体は複数のコイル線を巻回してあり、各コイル線はコイル体の相対的な駆動方向の一端側から他端側に亘って巻回してあり且つ直流電源に並列に接続してあることを特徴とするリニアモータ。
【請求項２】
コイル体は複数のコイル線を束ねて同時に巻回して製造してあることを特徴とする請求項１に記載のリニアモータ。
【請求項３】
ヨークは略平行に配置した対向する壁部を有し、対向する壁部間にマグネットを配置してあり、コイル体は環状を成して、環の内周側に一方の壁部を挿通してあり、コイル体は一方の壁部に沿って直線状に相対駆動することを特徴とする請求項１又は２に記載のリニアモータ。
【請求項４】
請求項１〜３のいずれか一項に記載のリニアモータを備え、コイル体には小型カメラのレンズホルダが取付けてあり、コイル体がレンズの光軸方向に沿って移動することを特徴とするレンズ駆動装置。
【発明の詳細な説明】
【技術分野】
【０００１】
本発明は、コイル体がヨークに対して直線上を相対移動するリニアモータ、及びそのリニアモータを用いて光軸方向にレンズを駆動するレンズ駆動装置に関する。
【背景技術】
【０００２】
特許文献１には、ヨークの対向する壁部間にマグネットを配置すると共に、環状に巻回したコイル体に通電することにより、ヨークに対してコイルを直線駆動するリニアモータが開示されている。
【０００３】
この特許文献１には、コイル体の構成や巻回について詳細な説明はないが、一般的にはコイル体は一本の線材を巻回した一つの巻回コイルのみで構成されている。
【０００４】
【特許文献１】特開２００４−２８００３１号公報
【発明の開示】
【発明が解決しようとする課題】
【０００５】
小型カメラ等に用いられるこの種のリニアモータでは、更なるリニアモータの小型化と、高い推力（高い駆動出力）が望まれている。
【０００６】
このような要求に対して、コイルについては、コイルの巻き数や線径の太いものを用いること等が考えられるが、単に巻数を増やしたり、線径を太くしたのでは、コイルの厚みが大きくなったり駆動方向の寸法が長くなってしまい（コイル体の体積が大きくなる）、モータ全体が大型になったり、移動距離が制限されるという問題がある。
【０００７】
特に、小型カメラ等に搭載されるリニアモータでは、モータ全体の小型化と共に、所定の駆動出力と駆動距離が要求されている。
【０００８】
そこで、本発明は、コイル体の寸法を大きくすることなく大きな駆動出力を得ることができるリニアモータ及びそのリニアモータを用いたレンズ駆動装置の提供を目的とする。
【課題を解決するための手段】
【０００９】
請求項１に記載の発明は、ヨークと、マグネットと、コイル体とを備え、コイル体を構成するコイルに通電して生じる電磁力によりヨークに対してコイル体が相対的に直線駆動するリニアモータであって、コイル体は複数のコイル線を巻回してあり、各コイル線はコイル体の相対的な駆動方向の一端側から他端側に亘って巻回してあり且つ直流電源に並列に接続してあることを特徴とする。
【００１０】
請求項２に記載の発明は、請求項１に記載の発明において、コイル体は複数のコイル線を束ねて同時に巻回して製造してあることを特徴とする。
【００１１】
請求項３に記載の発明は、請求項１又は２に記載の発明において、ヨークは略平行に配置した対向する壁部を有し、対向する壁部間にマグネットを配置してあり、コイル体は環状を成して、環の内周側に一方の壁部を挿通してあり、コイル体は一方の壁部に沿って直線状に相対駆動することを特徴とする。
【００１２】
請求項４に記載の発明は、請求項１〜３のいずれか一項に記載のリニアモータを備え、コイル体には小型カメラのレンズホルダが取付けてあり、コイル体がレンズの光軸方向に沿って移動することを特徴とするレンズ駆動装置である。
【発明の効果】
【００１３】
請求項１に記載の発明によれば、磁界中に置かれたコイル線に電流を流すことにより、作用する推力Ｆは、一般的にＦ＝ＢＬＩである。Ｂは磁界強度、Ｌはコイル線の長さ、Ｉはコイル線に流す電流であるから、コイル線の長さを長くすれば（巻数を増やせば）大きな推力を得ることができることになる。しかし、実験の結果、一本のコイル線の長さＬが長くなったり巻数が多くなるとコイル線の抵抗が増えて、コイル線を流れる電流値Ｉが低下し、充分な推力が得られなくなることがわかった。
【００１４】
本発明では、コイル体の全体で使用するコイル線の長さや体積は合計すれば同じであっても、一つのコイル線の長さは短くなるので一つのコイル線については電流に対する抵抗を少なくできる。しかも複数のコイル線は直流電源に対して並列に接続しているので、コイル体を一本のコイル線で構成した場合に比較して、極めて大きな推力（コイル線の数の倍数に近い推力）を得ることができるものである。
【００１５】
換言すれば、本発明によれば、小型で高推力のリニアモータを提供することができる。
【００１６】
請求項２に記載の発明によれば、請求項１に記載の作用効果を得ることができると共に、コイル体の製造は、複数のコイル線を束ねて同時に巻回するので、一本のコイル線を巻回する既存の設備を利用でき、しかも各コイル線を別々に巻回する場合に比較して製造効率が良い。
【００１７】
請求項３に記載の発明によれば、請求項１又は２に記載の作用効果を得ることができると共に、環状に巻かれたコイルの厚み（環状のコイルの内周側面と外周側面との間の寸法）はヨークの壁部とマグネットとの間の寸法に限られており、且つコイル体のヨークに対する相対駆動距離を長くとる為には、コイル体の駆動方向の寸法を小さくする必要があるが、本発明によれば、このようにコイル体の厚みや長さが制限されていながら、コイル体を一本のコイル線で構成するよりも格段に推力を大きくできるので、特に有効である。
【００１８】
請求項４に記載の発明によれば、請求項１〜３のいずれか一項に記載の作用効果を奏すると共に、小型カメラのレンズホルダにおいては、レンズ及びホルダの重量や摩擦等が作用するが、そのような場合であっても簡易且つコンパクトな構成で、高い応答性で駆動することができる。
【発明を実施するための最良の形態】
【００１９】
以下に、添付図面を参照して本発明の実施の形態を説明する。図１は、本実施の形態にかかるコイル体の構成を説明する図であり、（ａ）は正面図であり、（ｂ）は斜視図である。図２は図３に示すリニアモータの構成を説明した断面図であり、（ａ）は横断面図であり、（ｂ）は縦断面図であり、図３は本実施の形態にかかるリニアモータを用いた小型カメラの縦断面図であり、図４は図３に示す小型カメラのＡ―Ａ断面図であり、図５はコイル線に流れる電流値の経時変化を示すグラフである。
【００２０】
本実施の形態にかかるレンズ駆動装置１は、携帯電話に組み込まれる光学ズーム付きオートフォーカスカメラのレンズ駆動装置である。
【００２１】
このレンズ駆動装置１は、電磁力により駆動する第１レンズホルダ３及び第２レンズホルダ５と、第１レンズホルダ３を駆動する第１駆動機構（リニアモータ）７と、第２レンズホルダ５を駆動する第２駆動機構（リニアモータ）９とを備えている。
【００２２】
第１レンズホルダ３は、本実施の形態では光学ズーム用レンズ１５を保持しており、案内軸１３により光軸方向にスライド自在に設けてある。
【００２３】
第２レンズホルダ５は、フォーカス用レンズ１７を保持しており、第１レンズホルダ３と同様に案内軸１３により光軸方向にスライド自在に設けてある。尚、ズーム用レンズとフォーカス用レンズとは光軸を同一にしてある。
【００２４】
第１駆動機構７と第２駆動機構９とは略同じ構成であるから、第１駆動機構７を説明して第２駆動機構９には同一作用効果を奏する部分には同一の符号を付することによりその部分の説明を省略する。
【００２５】
第１駆動機構７は、リニアモータであり、ヨーク１７と、マグネット１９と、コイル体２３とから構成されている。本実施の形態では、ヨーク１７は筐体１１に固定してあり、コイル体２３にレンズホルダ３を取付けてコイル体２３がヨーク１７に対して光軸方向に移動するようになっている。
【００２６】
ヨーク１７は断面略矩形を成して磁界を閉じており、コイル体２３の移動方向に長い一対の壁部２５ａ、２５ｂを有し、一対の壁部２５ａ、２５ｂは略平行に配置してある。一方の壁部２５ａにおいて他方の壁部２５ｂに対向する面にはマグネット１９が貼付してあり、ヨーク１７の一方の壁部２５ａと他方の壁部２５ｂとの間に磁界を形成している。
【００２７】
コイル体２３は、図１に示すように、略角筒状に形成されており、筒の内周側に他方のヨーク２５ｂが挿通されている。コイル体２３は、２本のコイル線２７ａ、２７ｂを各々巻回して構成してある。２本のコイル線２７ａ、２７ｂは、コイル体２３の駆動方向の一端２３ａから他端２３ｂに亘って巻回してあり（図１（ｂ）参照）、本実施の形態では、図１に一点鎖線で抜き出して示すように、２本のコイル線２７ａ、２７ｂは巻き始め端と巻き終わり端とで２本のコイル線２７ａ、２７ｂを束ねてあり、束ねた状態で同時に巻回することにより製造している。
【００２８】
各コイル線２７ａ、２７ｂには直流の電流が供給され且つ、直流電源３１に対して並列に接続されている。
【００２９】
各コイル線２７ａ、２７ｂは線径が６０μｍであり、巻数２９２Ｔ（ターン）、厚みＷ（図２（ａ）参照）が０．５ｍｍ、有効コイル長さＬ（図２（ａ）参照）は７．６ｍｍ、高さＨ（図２（ｂ）参照）が６ｍｍ、駆動距離Ｓ（図２（ｂ）参照）が１４ｍｍである。厚みＷは、環状のコイルの内周側面と外周側面との間の寸法であり、高さＨは巻回コイルにおける駆動方向の長さである。
【００３０】
尚、各コイル線に印加する電圧は２．８Ｖ、電流８７ｍＡとし、各コイル線に同方向の電流を流した。コイル線の抵抗値は３２．３Ωであった。この実施の形態では、各コイル線２７ａ、２７ｂの推力は３５ｍＮであり、コイル体２３全体では２つコイル線２７ａ、２７ｂから構成されているので、合計７０ｍＮの推力を得ることができた。
【００３１】
次に、本発明にかかるレンズ駆動装置１の作用及び効果について説明する。
【００３２】
レンズ駆動装置１を搭載したカメラ（携帯電話）で撮影する場合において、光学ズームを用いる場合には、コイル体２３に電流を流して、第１駆動機構７を駆動する。例えば、図３の実線に示す位置から二点鎖線で示す位置まで一方向に駆動する。また、逆方向の電流を流すことにより、二点鎖線で示す位置から実線で示す位置まで他方向に駆動する。
【００３３】
尚、第１レンズホルダ３はガイド軸１３との摩擦力により所定位置で保持される。
【００３４】
ここで、コイル体２３において、一つのコイル線２７ａについて、線径や高さ、巻き数等を変えた実験を種々行ったので、その結果を表１に示す。
【００３５】
【表１】
2007028716.tif 000003
【００３６】
この実験では、上述した実施の形態において、コイル体２３の厚みＷ、即ちヨーク１７の一方の壁部２５ａとマグネット１９との間の隙間を制限しており、しかもレンズ１５及びホルダ３が所定重量を有すると共に案内軸１３との摩擦との関係から、所定の推力が要求されることを条件としたものである。
【００３７】
一方、線径７０μｍ、抵抗値４５．２Ωのコイル線に種々の電流値の電流を流してその経時変化を測定したので、その結果を図５に示す。図５から明らかなように、１３１ｍＡの電流を流した場合には、約１２０秒後に９８ｍＡになって安定した。即ち、この１３１ｍＡの電流では流れる電流の変化率が１割を超えて、最も大きかったが、１００ｍＡ以下では、変化率は１割以下であった。このことは、他の線径でも同様のことが言えるものであり、本実施の形態にかかるリニアモータで流す電流は１００ｍＡ以下が好ましい。
【００３８】
更に、駆動距離Ｓを長く取る為には、高さＨは成るべく低い方が良い。本実施例ではコイル体２３全体の高さＨが６ｍｍ以下に抑えることにした。
【００３９】
上記条件を加味すると、表１にＮｏ.１で示す線径６０μｍで高さＨが６ｍｍで、巻き数２９２Ｔ（ターン）が最も効率良く所定の推力（一つの巻回コイル当り３５ｍＮ）を得ることができる。
【００４０】
しかも、２つのコイル線２７ａ、２７ｂに並列に同じ電流値の電流を流すから、コイル体２３全体として２倍の推力、即ち７０ｍＮの推力を得ることができるものである。
【００４１】
本実施の形態によれば、コイル体２３の全体で使用するコイル線２７ａ、２７ｂの長さや体積は合計すれば同じであっても、各コイル線２７ａ、２７ｂの長さは短くなるので、一つのコイル線２７ａ、２７ｂでは電流に対する抵抗を少なくできる。しかも複数のコイル線２７ａ、２７ｂは直流電源３１に対して並列に接続しているので、コイル体２３を一本のコイル線で構成した場合に比較して、小型でありながら極めて大きな推力を得ることができるものである。
【００４２】
コイル体２３の厚みＷは、ヨーク１７の壁部２５ａとマグネット１９との間の寸法に限られており、且つコイル体２３のヨーク１７に対する相対駆動距離を長くとる為には、コイル体２３の高さＨ（駆動方向の寸法）を小さくする必要があるが、このようにコイル体２３の厚みや長さが制限される場合であっても、大きな推力を得ることができる。
【００４３】
本実施の形態では、従来のコイル体よりも約２倍の推力を得ることができるので、レンズ駆動装置１として用いた場合には高い応答性で駆動することができる。
【００４４】
コイル体２３の製造は、複数のコイル線２７ａ、２７ｂを束ねて同時に巻回するので、一本のコイル線を巻回する既存の設備を利用でき、しかも各コイル線２７ａ、２７ｂを別々に巻回する場合に比較して製造効率が良い。
【００４５】
本発明は、上述した実施の形態に限らず、本発明の要旨を逸脱しない範囲で種々変形可能である。
【００４６】
例えば、コイル体２３を構成するコイル線２７ａ、２７ｂは２本に限らず、３本又は４本等幾つのコイル線で構成するものであってもよい。
【００４７】
本発明のリニアモータは、小型カメラに用いることに限らず、移動体を駆動するリニアモータとして用いるものであれば、どのようなものにも利用することができる。
【００４８】
コイル体２３はヨーク１７に相対的に移動すれば良く、例えば、コイル体２３を筐体１１に固定し、ヨーク１７を駆動するものであってもよい。
【図面の簡単な説明】
【００４９】
【図１】本実施の形態にかかるコイル体の構成を説明する図であり、（ａ）は正面図であり、（ｂ）は斜視図である。
【図２】図３に示すリニアモータの構成を説明した断面図であり、（ａ）は横断面図であり、（ｂ）は縦断面図である。
【図３】本実施の形態にかかるリニアモータを用いた小型カメラの縦断面図である。
【図４】図３に示す小型カメラのＡ―Ａ断面図である。
【図５】巻線コイルに流れる電流値の経時変化を示すグラフである。
【００５０】
１      レンズ駆動装置
７      第１駆動機構（リニアモータ）
９      第２駆動機構（リニアモータ）
１７    ヨーク
１９    マグネット
２３    コイル体
２５ａ  一方の壁部
２５ｂ  他方の壁部
２７ａ、２７ｂ  コイル線
３１    直流電源
【図１】
2007028716.tif 000004
【図２】
2007028716.tif 000005
【図３】
2007028716.tif 000006
【図４】
2007028716.tif 000007
【図５】
2007028716.tif 000008